(57)【要約】【課題】プレハブ式階段が設けられる設置地面の地盤が硬い土砂等で形成されている場合であっても、アンカー杭を容易かつ強固に土中に固定することができると共に、プレハブ式階段を設置地面上に強固に固定することができるプレハブ式階段を提供する。【解決手段】傾斜した設置地面１１上に互いに略平行に配置された複数の長尺部材１６と、水平に配置された踏み板部６と、鉛直に配置され上辺部が前記踏み板部６の側辺部に一体的に連続又は接続された蹴上げ部８とを有すると共に、前記傾斜した設置地面１１上に配置された長尺部材１６上に階段状に並べて配置されたステップ部材４と、前記長尺部材１６に固定された固定部材３４と、下端部が前記設置地面１１の土中に埋め込まれ、上端部が前記設置地面１１から突き出して前記固定部材３４に固定された、大きな剛性を有するアンカー杭３２とを備えた。【選択図】図１
0003159269.tif 000002
【実用新案登録請求の範囲】
【請求項１】
傾斜した設置地面上に互いに略平行に配置された複数の長尺部材と、
水平に配置された踏み板部と、鉛直に配置され上辺部が前記踏み板部の側辺部に一体的に連続又は接続された蹴上げ部とを有すると共に、前記傾斜した設置地面上に配置された長尺部材上に階段状に並べて配置されたステップ部材と、
前記長尺部材に固定された固定部材と、
下端部が前記設置地面の土中に埋め込まれ、上端部が前記設置地面から突き出して前記固定部材に固定された、大きな剛性を有するアンカー杭と
を備えたことを特徴とするプレハブ式階段。
【請求項２】
前記アンカー杭は、下端部に傾斜面を有することを特徴とする請求項１に記載のプレハブ式階段。
【請求項３】
前記アンカー杭は、外周に複数のリブや節を有する異形鉄筋であることを特徴とする請求項１又は２に記載のプレハブ式階段。
【請求項４】
前記長尺部材と前記固定部材は、互いをネジ締結により固定されたことを特徴とする請求項１ないし３のいずれかに記載のプレハブ式階段。
【請求項５】
前記固定部材は開口部を有し、
前記アンカー杭の上端部が前記固定部材の開口部に挿入して互いに接続されたことを特徴とする請求項１ないし４のいずれかに記載のプレハブ式階段。
【請求項６】
前記固定部材は、円筒状に形成されていることを特徴とする請求項１ないし５のいずれかに記載のプレハブ式階段。
【請求項７】
前記固定部材は、一枚の板状部材が折り曲げられることにより形成されていることを特徴とする請求項１ないし５のいずれかに記載のプレハブ式階段。
【請求項８】
前記固定部材は、直方体の一部を変形させて形成されていることを特徴とする請求項１ないし５のいずれかに記載のプレハブ式階段。
【請求項９】
前記固定部材は、金属製であることを特徴とする請求項６又は７に記載のプレハブ式階段。
【請求項１０】
前記固定部材は、金属製又は合成樹脂製であることを特徴とする請求項８に記載のプレハブ式階段。
【考案の詳細な説明】
【技術分野】
【０００１】
本考案は、プレハブ式階段に関するものである。
【背景技術】
【０００２】
プレハブ式階段は、例えば山間部における登山道や、工事現場等の傾斜のある設置地面に簡単に取付けることができる階段として使用されるものである。図７及び図８は、従来のプレハブ式階段２（例えば、特許文献１参照）を説明するために用いる図である。
【０００３】
図７及び図８に示すように、従来のプレハブ式階段２は、複数のステップ部材４が、釘や木ネジ等の連結部材１２により互いに連結されて、階段状に構成されていた。そして、これらのステップ部材４同士の連結部が、釘や木ネジ等の固定部材１４を打ち込んだり、ネジ込んだりすることにより、一対の長尺部材１６上に強固に固定されていた。
【０００４】
さらに、この一対の長尺部材１６のそれぞれが、アンカー杭２２、頭付ボルト２４、ナット２６により、地盤が土砂等で形成された傾斜のある設置地面１１上に強固に固定されていた。
【０００５】
図７に示すように、ステップ部材４は、図中上側に踏み面６ａを有する踏み板部６と、踏み板部６の図中左端から図中下側に垂直に折れ曲がるように形成された蹴上げ部８と、踏み板部６の図中右端から図中上側に垂直に立ち上がるように形成された立上り板部１０とが、一体的に形成されていた。また、ステップ部材４には、その素材として耐腐食性、耐候性に優れた再生プラスチックが使用されていた。
【０００６】
そして、所定のステップ部材４の踏み板部６の上側に配置された、互いに隣合う別のステップ部材４の、蹴上げ部８の下端面が、上記所定のステップ部材４の踏み板部６の踏み面６ａ上に突き当てられると共に、上記別のステップ部材４の蹴上げ部８の、前記設置地面１１側（裏側）の面が、前記所定のステップ部材４の立上り板部１０の、前記設置地面１１とは反対側（表側）の面に当接されていた。
【０００７】
このとき、釘や木ネジ等の連結部材１２が、上記別のステップ部材４の蹴上げ部８の、設置地面１１とは反対側（表側）から、上記別のステップ部材４の蹴上げ部８と、前記所定のステップ部材４の立上り板部１０とを厚さ方向に貫通するように打込まれたり、ネジ込まれることにより、互いに斜め方向に隣合うステップ部材４同士を互いに連結するようになっていた。
【０００８】
そして、ステップ部材４の踏み板部６の長尺部材１６側寄りの端部に、その踏み面６ａ側から設置地面１１側に向って、釘や木ネジ等の固定部材１４が、斜め下方に打込まれたり、ネジ込まれたりして、踏み板部６を貫通して、その先端側が長尺部材１６に突き刺さるか、或はネジ込まれることにより、ステップ部材４の各々が長尺部材１６に固定されていた。
【０００９】
さらに、図７及び図８に示すように、最下段のステップ部材４が、設置地面１１に沿う方向の土圧や、降雨時の水流の力等を受けて設置地面１１の下流側に移動しないように、最下段のステップ部材４の蹴上げ部８の、設置地面１１とは反対側（表側）の面が、角柱状の杭２０の上端部側面に当接して支えられていた。
【００１０】
そして、上下二本の釘や木ネジ等の固定部材１８が、杭２０の上端部の、ステップ部材４との接触面とは反対側（外側）の面から打ち込まれたり、ネジ込まれたりして、杭２０を貫通して、その先端側が最下段のステップ部材４の蹴上げ部８に突き刺さるか、ネジ込まれることにより、最下段のステップ部材４と杭２０が互いに固定されていた。
【００１１】
そして、杭２０は、その下端部が土中に深く突き刺さって埋め込まれることにより、設置地面１１を上面に形成する地盤の土中に強固に固定されていた。
【００１２】
そして、長尺部材１６は、二本の角柱状に形成され、その二本の長尺部材１６が互いに平行に配置されて、それらのそれぞれにステップ部材４の両端部が固定されることにより、二本の長尺部材１６はステップ部材４と共に枠構造を構成し、その二本の長尺部材１６はその枠構造の二辺を構成するように配置されていた。また、この長尺部材１６にも、その素材として再生プラスチックが使用されていた。
【００１３】
これらの長尺部材１６は、設置地面１１に打ち込まれたアンカー杭２２の上端部に、頭付ボルト２４とナット２６によりネジ締結されて固定されていた。また、このアンカー杭２２にも、その素材として再生プラスチックが使用されていた。
【００１４】
このため、従来のプレハブ式階段２においては、階段状に形成されたステップ部材４の踏み板部６の踏み面６ａに順次足を乗せていくことにより、人が昇り降りすることができるようになっていた。
【００１５】
さらに、従来のプレハブ式階段２においては、ステップ部材４が長尺部材１６を介して設置地面１１の上に載置されることにより、設置地面１１が凹凸のある傾斜面であっても、その傾斜面から凹凸を除去して平らに整地しなくとも、ステップ部材４を設置地面１１上に確実に固定することができる。
【００１６】
また、ステップ部材４が長尺部材１６を介して設置地面１１の上に載置されることにより、互いに隣り合うステップ部材４が、設置地面１１の凹凸により、互いに相対的な角度に回動してねじれたりすることもなくなるので、やはりステップ部材４を設置地面１１上に、ステップ部材４が安定して確実に固定することができるようになっていた。
【先行技術文献】
【特許文献】
【００１７】
【特許文献１】登録実用新案第３０６６４８３号公報
【考案の概要】
【考案が解決しようとする課題】
【００１８】
しかしながら、前記従来のプレハブ式階段２においては、再生プラスチック製のアンカー杭２２を設置地面１１の土中に打ち込むことにより、プレハブ式階段２を設置地面１１上に固定させる構造となっているために、次のような問題があった。
【００１９】
すなわち、再生プラスチック製のアンカー杭２２において、設置地面１１の地盤が、それほど硬くない土砂等により形成されている場合には、アンカー杭２２を設置地面１１から土中に深く打ち込んで、プレハブ式階段２を設置地面１１上に固定させることが可能となっていた。
【００２０】
しかしながら、設置地面１１の地盤が著しく硬い土砂等で形成されている場合、例えば、土砂の硬さがコンクリートまではいかなくともそれに近い状態で固まっている場合や、土中に大きな石の塊が混在している場合、或は土中に大きくて丈夫な樹木の根が隙間無く張り巡らされている場合等には、再生プラスチック製のアンカー杭２２では剛性が不足するため、そのアンカー杭２２を設置地面１１の地盤の土中に打ち込むことが困難になるという問題があった。
【００２１】
このように設置地面１１の地盤が硬い土砂等で形成されている場合において、再生プラスチック製のアンカー杭２２を設置地面１１の土中に深く埋め込むためには、アンカー杭２２を埋め込む場所の地盤を崩して、アンカー杭２２の断面積より大きな面積の孔を掘り、その孔の中にアンカー杭２２の下端部を挿し込んだ後で、地盤を崩すことにより生じた残土を埋め戻すことにより、アンカー杭２２を埋め込んで固定するという一連の作業を行う必要があった。このため、そのような一連の作業を行うための労力と時間がかかるという問題があった。
【００２２】
また、上記一連の作業によるアンカー杭２２の埋め込みによる固定によっては、従来のようにアンカー杭２２を設置地面１１から土中に打ち込む場合と異なり、上記掘った孔にアンカー杭２２の下端部を挿し込んだ後に、地盤を崩すことにより柔らかくなった残土を埋め戻すだけであるため、アンカー杭２２がぐらついてしまい、アンカー杭２２を設置地面１１の土中に強固に固定することができないという問題もあった。
【００２３】
そこで本考案は、上記問題点に鑑みて、プレハブ式階段が設けられる設置地面の地盤が硬い土砂等で形成されている場合であっても、アンカー杭を容易かつ強固に土中に固定することができると共に、プレハブ式階段を設置地面上に強固に固定することができるプレハブ式階段を提供することを課題とするものである。
【課題を解決するための手段】
【００２４】
上記課題を解決するために、本考案によるプレハブ式階段は、
傾斜した設置地面上に互いに略平行に配置された複数の長尺部材と、
水平に配置された踏み板部と、鉛直に配置され上辺部が前記踏み板部の側辺部に一体的に連続又は接続された蹴上げ部とを有すると共に、前記傾斜した設置地面上に配置された長尺部材上に階段状に並べて配置されたステップ部材と、
前記長尺部材に固定された固定部材と、
下端部が前記設置地面の土中に埋め込まれ、上端部が前記設置地面から突き出して前記固定部材に固定された、大きな剛性を有するアンカー杭と
を備えたことを特徴とするものである。
【００２５】
また、本考案によるプレハブ式階段は、
前記アンカー杭は、下端部に傾斜面を有することを特徴とするものである。
【００２６】
また、本考案によるプレハブ式階段は、
前記アンカー杭は、外周に複数のリブや節を有する異形鉄筋であることを特徴とするものである。
【００２７】
また、本考案によるプレハブ式階段は、
前記長尺部材と前記固定部材は、互いをネジ締結により固定されたことを特徴とするものである。
【００２８】
また、本考案によるプレハブ式階段は、
前記固定部材は開口部を有し、
前記アンカー杭の上端部が前記固定部材の開口部に挿入して互いに接続されたことを特徴とするものである。
【００２９】
また、本考案によるプレハブ式階段は、
前記固定部材は、円筒状に形成されていることを特徴とするものである。
【００３０】
また、本考案によるプレハブ式階段は、
前記固定部材は、一枚の板状部材が折り曲げられることにより形成されていることを特徴とするものである。
【００３１】
また、本考案によるプレハブ式階段は、
前記固定部材は、直方体の一部を変形させて形成されていることを特徴とするものである。
【００３２】
また、本考案によるプレハブ式階段は、
前記固定部材は、金属製であることを特徴とするものである。
【００３３】
また、本考案によるプレハブ式階段は、
前記固定部材は、金属製又は合成樹脂製であることを特徴とするものである。
【考案の効果】
【００３４】
このような本考案のプレハブ式階段によれば、
傾斜した設置地面上に互いに略平行に配置された複数の長尺部材と、
水平に配置された踏み板部と、鉛直に配置され上辺部が前記踏み板部の側辺部に一体的に連続又は接続された蹴上げ部とを有すると共に、前記傾斜した設置地面上に配置された長尺部材上に階段状に並べて配置されたステップ部材と、
前記長尺部材に固定された固定部材と、
下端部が前記設置地面の土中に埋め込まれ、上端部が前記設置地面から突き出して前記固定部材に固定された、大きな剛性を有するアンカー杭とを備えたことにより、
プレハブ式階段が設けられる設置地面の地盤が硬い土砂等で形成されている場合であっても、アンカー杭を容易かつ強固に土中に固定することができると共に、プレハブ式階段を設置地面上に強固に固定することができる。
【図面の簡単な説明】
【００３５】
【図１】本考案の第１の実施の形態に係るプレハブ式階段３０の側面図である。
【図２】図１に示すプレハブ式階段３０の図中上方から見た上面図である。
【図３】図１に示すプレハブ式階段３０のアンカー杭３２の側面図である。
【図４】図１に示すプレハブ式階段３０の固定部材３４を示す図であり、図４（ａ）はその上面図、図４（ｂ）はその正面図である。
【図５】本考案の第２の実施の形態に係るプレハブ式階段に用いられる固定部材４４を示す図であり、図５（ａ）はその上面図、図５（ｂ）はその正面図である。
【図６】本考案の第３の実施の形態に係るプレハブ式階段に用いられる固定部材５４を示す図であり、図６（ａ）はその上面図、図６（ｂ）はその正面図である。
【図７】従来のプレハブ式階段２を示す側面図である。
【図８】図７に示すプレハブ式階段２の上面図である。
【考案を実施するための形態】
【００３６】
以下、本考案に係るプレハブ式階段の実施の形態について、図面に基づいて具体的に説明する。
【００３７】
図１ないし図４は、本考案の第１の実施の形態に係るプレハブ式階段３０について説明するために参照する図である。これらの図に示すプレハブ式階段３０は、前記従来のプレハブ式階段２と同様の部分には同じ符号を付して説明し、従来と同様の構成についての重複する説明は一部を除き省略するものとする。
【００３８】
本実施の形態に係るプレハブ式階段３０においては、図１及び図２に示すように、階段状に構成された複数のステップ部材４が固定された長尺部材１６は、アンカー杭３２、固定部材３４、頭付ボルト３６、及びナット３８により、設置地面１１上に固定される。
【００３９】
そして、アンカー杭３２は、その表面に溶融亜鉛メッキ処理が施された金属製の棒状の部材であり、その外周に、このアンカー杭３２の素材として用いた異形鉄筋としての形状を有している。
【００４０】
すなわち、アンカー杭３２の外周には、図３に示すように、アンカー杭３２の長さ方向に沿って形成されたリブ３２ａと、このリブ３２ａと直交し、かつアンカー杭３２の円周方向に半周分の長さ分だけ形成された複数の節（ふし）３２ｂを有している。この複数の節３２ｂは、アンカー杭３２の長さ方向において、リブ３２ａの両側に互い違いに配置されている。
【００４１】
このような上記リブ３２ａと、複数の節３２ｂは、アンカー杭３２の周面において、それらが形成されていない場所の周面より半径外側に突出するように、それらの断面が突起状に形成されている。
【００４２】
このようにアンカー杭３２には、その外周に突起状のリブ３２ａと節３２ｂが形成されていることにより、設置地面１１に打ち込まれた場合に、打ち込まれた周囲の土砂との付着力を増大させることができるために、設置地面１１に強固に固定することができる。
【００４３】
また、このアンカー杭３２は、その先端部（図中下端部）に、長さ方向（図中上下方向）に対して４５度程度の角度を有する傾斜面３２ｃが形成されている。このような傾斜面３２ｃが形成されているために、アンカー杭３２を設置地面１１に打ち込むことを容易にすることができる。
【００４４】
アンカー杭３２は、その下端部を設置地面１１に接触させた状態で、ハンマー等の道具を用いて、そのアンカー杭３２の上端面に下側に向って大きな力を加えることにより、アンカー杭３２の下端部が土中に強く打ち込まれて、深く突き刺さることにより、設置地面１１の土中に強固に固定される。
【００４５】
すなわち、アンカー杭３２は、鋼製の異形鉄筋であるため、前記従来のプレハブ式階段２における再生プラスチック製のアンカー杭２２に比べて、剛性が大きいために、例え設置地面１１の地盤が硬い土砂等で形成されていても、ハンマー等の道具を用いてその上端面に、下側に向って大きな力を加える作業を行なうだけで、アンカー杭３２を設置地面１１から土中に打ち込むことができる。
【００４６】
このため、前記従来のプレハブ式階段２における再生プラスチック製のアンカー杭２２において必要とされていた、設置地面１１のアンカー杭２２を埋め込む場所の地盤を崩して孔を掘り、その孔の中にアンカー杭２２を埋め込んだ後に、地盤を崩すことにより生じた土砂をその孔の中に埋め戻すという一連の作業を行う必要がないために、設置地面１１の地盤が硬い土砂等で形成されている場合であっても、アンカー杭３２の打ち込み作業を容易に行うことができる。
【００４７】
すなわち、本実施の形態においては、上記従来のプレハブ式階段２におけるような、地盤を崩したり埋め戻したりという一連の作業を行わずに、アンカー杭３２をいきなり設置地面１１の土中に打ち込むことができるため、アンカー杭３２を打ち込む場所の周りの地盤は、硬い状態のまま維持されるために、アンカー杭３２はぐらつくことなく、設置地面１１の土中に強固に固定することができる。
【００４８】
図１，２に示す固定部材３４は、金属製であり、図４（ａ）及び（ｂ）に示すように、その軸線に沿って軸孔３４ａが形成された円筒状に形成されており、その長さの中央より図４（ｂ）中上側の位置に、頭付ボルト３６が緩く貫通するボルト孔３４ｂが形成されている。
【００４９】
この固定部材３４の軸孔３４ａは、アンカー杭３２のリブ３２ａや節３２ｂを含めた外径寸法より僅かに大きな寸法となるような内径寸法に形成されている。この軸孔３４ａに、図４（ｂ）中下側方向から、アンカー杭３２の上端部（図３中の上端部）が、この固定部材３４のボルト孔３４ｂに頭付ボルト３６を挿し込むことを阻害しない程度の深さまで挿し込まれることにより、アンカー杭３２と固定部材３４は互いに嵌合する。
【００５０】
そして、固定部材３４は、図２に示すように、長尺部材１６の外側部に接触するように配置され、ボルト孔３４ｂと、長尺部材１６のボルト孔３４ｂと対応する位置に頭付ボルト３６のネジ部が緩く貫通するよう形成されたボルト孔を、頭付ボルト３６のネジ部が挿通し、ナット３８により締め付けられるようネジ締結することにより、固定部材３４は長尺部材１６に固定される。
【００５１】
このため、階段状に構成された複数のステップ部材４が固定された長尺部材１６は、アンカー杭３２、固定部材３４、頭付ボルト３６、ナット３８により、設置地面１１上に固定される。
【００５２】
このような本考案の第１の実施の形態に係るプレハブ式階段３０によれば、プレハブ式階段３０が設けられる設置地面１１の地盤が硬い土砂等で形成されている場合であっても、アンカー杭３２を容易かつ強固に土中に固定することができると共に、プレハブ式階段３０を設置地面１１上に強固に固定することができる。
【００５３】
次に、図５は、本考案の第２の実施の形態に係るプレハブ式階段に用いられる固定部材４４について説明するために参照する図である。前記第１の実施の形態と同様の部分には同じ符号を用いて説明し、同様の構成についての重複する説明は一部を除き省略するものとする。
【００５４】
前記第１の実施の形態に係るプレハブ式階段３０においては、図１及び図２に示すように、階段状に構成された複数のステップ部材４が固定された長尺部材１６は、アンカー杭３２、固定部材３４、頭付ボルト３６、ナット３８により、設置地面１１上に固定されていたが、この第２の実施の形態に係るプレハブ式階段においては、階段状に構成された複数のステップ部材４が固定された長尺部材１６は、上記固定部材３４の代わりに固定部材４４を用いて設置地面１１上に固定されるようになっている。
【００５５】
すなわち、第２の実施の形態に係るプレハブ式階段における固定部材４４は、図５（ａ）及び（ｂ）に示すように、金属製の一枚の長い平板（板状部材）が折り曲げられて形成されているものであり、平らな平板部４４ａと、平板部４４ａから長さ方向に連続して弧を描くように２７０度程度折り曲げられた円弧部４４ｂと、その円弧部４４ｂの平板部４４ａと反対側の平板部４４ｃが、平板部４４ａにぶつからないように９０度程度折り曲げられて、平板部４４ａと間隔をおいて互いに対向するように構成されている。
【００５６】
この固定部材４４の円弧部４４ｂの内周面４４ｄの内径寸法は、アンカー杭３２の上端部が緩く挿通することができる程度の大きさに形成されており、互いに対向する平板部４４ａと平板部４４ｃの間隔が小さくなるにつれて、徐々にその径が小さくなるようになっている。
【００５７】
また、固定部材４４の平板部４４ａ，４４ｃには、頭付ボルト３６のネジ部が緩く貫通するような寸法に設定された、ボルト孔４４ｆ，４４ｅが、互いに対応する位置に形成されている。
【００５８】
この固定部材４４の円弧部４４ｂの内周面４４ｄの内側に、図５（ｂ）中の下側から上側に向って、アンカー杭３２の上端部（図３中の上端部）が挿し込まれた状態で、平板部４４ａの、平板部４４ｃと反対側の面が長尺部材１６に接触して配置されるようになっている。
【００５９】
そして、平板部４４ｃのボルト孔４４ｅと、平板部４４ａのボルト孔４４ｆと、長尺部材１６のボルト孔４４ｅ，４４ｆと対応する位置に頭付ボルト３６のネジ部が緩く貫通するよう形成されたボルト孔に、頭付ボルト３６のネジ部が挿通し、ナット３８により締め付けられるようネジ締結することにより、長尺部材１６に固定部材４４が固定されるようになっている。
【００６０】
このとき、互いに対向する平板部４４ａと平板部４４ｃの間隔が小さくなって互いに近付くので、円弧部４４ｂの内周面４４ｄの内径寸法も併せて小さくなるために、アンカー杭３２の上端部が円弧部４４ｂの内周面４４ｄによりきつく締め付けられて、アンカー杭３２と固定部材４４は互いに強固に固定される。
【００６１】
このため、階段状に構成された複数のステップ部材４が固定された長尺部材１６は、アンカー杭３２、固定部材４４、頭付ボルト３６、ナット３８により、設置地面１１上に固定される。
【００６２】
このような本考案の第２の実施の形態に係るプレハブ式階段によっても、第１の実施の形態に係るプレハブ式階段３０と同様に、プレハブ式階段が設けられる設置地面１１の地盤が硬い土砂等で形成されている場合であっても、アンカー杭３２を容易かつ強固に土中に固定することができると共に、プレハブ式階段を設置地面１１上に強固に固定することができる。
【００６３】
次に、図６は、本考案の第３の実施の形態に係るプレハブ式階段に用いられる固定部材５４について説明するために参照する図である。前記第１の実施の形態と同様の部分には同じ符号を用いて説明し、同様の構成についての重複する説明は一部を除き省略するものとする。
【００６４】
前記第１の実施の形態に係るプレハブ式階段３０においては、階段状に構成された複数のステップ部材４が固定された長尺部材１６は、アンカー杭３２、固定部材３４、頭付ボルト３６、ナット３８により、設置地面１１上に固定されていたが、この第３の実施の形態に係るプレハブ式階段においては、階段状に構成された複数のステップ部材４が固定された長尺部材１６は、上記固定部材３４の代わりに固定部材５４を用いて設置地面１１上に固定されるようになっている。
【００６５】
すなわち、第３の実施の形態に係るプレハブ式階段における固定部材５４は、再生プラスチック製（合成樹脂製）であり、その上面を示す図６（ａ）に示すように、図中下側に位置する側面５４ａから図中上側に位置する反対側の側面５４ｂ側に深さＤを有する段差面５４ｃが形成されている、上面が略逆Ｌ字状に形成されている。
【００６６】
そして、段差面５４ｃが形成されていない部分（図６（ａ）中左側の部分）の中央部に、図６（ｂ）中上下方向に貫通する貫通孔５４ｄが形成されている。また、図６（ｂ）に示すように、段差面５４ｃの中央部に頭付ボルト３６のネジ部が緩く貫通するボルト孔５４ｅが形成されている。
【００６７】
この固定部材５４の貫通孔５４ｄは、アンカー杭３２のリブ３２ａや節３２ｂを含めた外径寸法よりも僅かに小さな内径寸法に形成されている。この貫通孔５４ｄに、図６（ｂ）中の下方から上方に向って、アンカー杭３２の上端部（図３中の上端部）が挿し込まれて、上記リブ３２ａや節３２ｂが貫通孔５４ｄの内周面にくい込んで嵌合することにより、アンカー杭３２と固定部材５４は互いに強固に固定されるようになっている。
【００６８】
そして、固定部材５４は、その側面５４ｂが長尺部材１６に接触するように配置され、ボルト孔５４ｅと、長尺部材１６のボルト孔５４ｅと対応する位置に頭付ボルト３６のネジ部が緩く貫通するよう形成されたボルト孔を、頭付ボルト３６のネジ部が挿通し、ナット３８により締め付けられてネジ締結されることにより、長尺部材１６と固定部材５４は互いに強固に固定される。
【００６９】
このため、階段状に構成された複数のステップ部材４が固定された長尺部材１６は、アンカー杭３２、固定部材５４、頭付ボルト３６、ナット３８により、設置地面１１上に強固に固定されるようになっている。
【００７０】
このような本考案の第３の実施の形態に係るプレハブ式階段によっても、前記第１の実施の形態に係るプレハブ式階段３０と同様に、プレハブ式階段が設けられる設置地面１１の地盤が硬い土砂等で形成されている場合であっても、アンカー杭３２を容易かつ強固に土中に固定することができると共に、プレハブ式階段を設置地面１１上に強固に固定することができる。
【００７１】
なお、前記第１から第３の実施の形態に係るプレハブ式階段においては、階段状に構成された複数のステップ部材４が固定された長尺部材１６が、アンカー杭３２、固定部材３４，４４，５４、頭付ボルト３６、ナット３８により、設置地面１１上に固定されていたが、設置地面１１上に固定されるステップ部材４と長尺部材１６は、前記実施の形態における形状に限定される必要はない。
【００７２】
また、前記第１の実施の形態に係るプレハブ式階段３０においては、アンカー杭３２は、リブや節や傾斜面を有するように形成されていたが、このような形状に限定される必要はない。
【００７３】
また、前記実施の形態におけるプレハブ式階段のステップ部材４が固定された長尺部材１６を固定するために用いる固定部材は、前記第１から第３の実施の形態に係るプレハブ式階段において用いられた固定部材３４，４４，５４の材質や形状に限定される必要はない。
【符号の説明】
【００７４】
２  プレハブ式階段
４  ステップ部材
６  踏み板部
６ａ  踏み面
８  蹴上げ部
１０  立上がり板部
１１  設置地面
１２  連結部材
１４  固定部材
１６  長尺部材
１８  固定部材
２０  杭
２２  アンカー杭
２４  頭付ボルト
２６  ナット
３０  プレハブ式階段
３２  アンカー杭
３２ａ  リブ
３２ｂ  節
３２ｃ  傾斜面
３４  固定部材
３４ａ  軸孔
３４ｂ  ボルト孔
３６  頭付ボルト
３８  ナット
４４  固定部材
４４ａ  平板部
４４ｂ  円弧部
４４ｃ  平板部
４４ｄ  内周面
４４ｅ  ボルト孔
４４ｆ  ボルト孔
５４  固定部材
５４ａ  側面
５４ｂ  側面
５４ｃ  段差面
５４ｄ  貫通孔
５４ｅ  ボルト孔
【図１】
0003159269.tif 000003
【図２】
0003159269.tif 000004
【図３】
0003159269.tif 000005
【図４】
0003159269.tif 000006
【図５】
0003159269.tif 000007
【図６】
0003159269.tif 000008
【図７】
0003159269.tif 000009
【図８】
0003159269.tif 000010